(57)【要約】      （修正有）【課題】ポップアップノートカートンを提供する。【解決手段】ボックス１、弾性体２、ポップアップノート３、及びカートン４を備える。ボックス１にはポップアップノート３が内設され、ボックス１の上面には出口部が設けられ、出口部の周縁の対向する辺には一対の突起板１００が設置される。弾性体２は圧縮されてポップアップノート３に当接されると共に両突起板１００の間に制限され、ポップアップノート３が抽出されて消耗されると自動的に出口部まで上昇する。ボックス１の外面はカートン４で被覆され、カートン４の表面には変化する模様が施され、机の上に置くのに適している。片手で簡単に素早く抽出でき、次の１枚が自動的に出口部まで上昇していつでも抽出でき、このため開く動作が不要になり、抽出の利便性向上の目的を達成させる。【選択図】図１
0003197764.tif 000002
【実用新案登録請求の範囲】
【請求項１】
ボックス、弾性体、ポップアップノート、及びカートンを備え、前記ボックスは中空ケース体になり、ポップアップノートが内設され、且つ前記ボックスの上面には出口部が設けられ、前記出口部の周縁の対向する辺には一対の突起板が設置され、前記出口部が対向する面は前記ボックスの底面であり、前記ボックスの両側面には側辺開口がそれぞれ設けられ、前記弾性体は前記底面と前記ポップアップノートとの間に設置されると共に圧縮されて前記ポップアップノートに当接されて前記両突起板の間に制限され、前記ポップアップノートが前記出口部から抽出されて消耗されると自動的に前記出口部まで上昇し、前記ボックスは前記出口部以外に他の各面が前記カートンにより被覆されることを特徴とするポップアップノートカートン。
【請求項２】
前記弾性体は鋼ばねであることを特徴とする、請求項１記載のポップアップノートカートン。
【請求項３】
前記突起板は長片形で前記出口部の周辺に延伸され、その長さは少なくとも前記出口部の周辺の半分よりも長く、前記一対の突起板の間の距離は前記ポップアップノートの幅よりも短いことを特徴とする、請求項１記載のポップアップノートカートン。
【請求項４】
前記側辺開口の前記ボックスの底面の辺縁に隣接する箇所はストッパーが設置されることを特徴とする、請求項１記載のポップアップノートカートン。
【請求項５】
前記カートンの表面には文字や模様が描画されることを特徴とする、請求項１記載のポップアップノートカートン。
【考案の詳細な説明】
【技術分野】
【０００１】
本考案は、外形を包装させるカートンを有すると共にノートを連続的に抽出でき、メッセージを書けるポップアップノートカートンに関する。
【背景技術】
【０００２】
一般的なノート形態の付箋紙は、各紙の底面の辺縁が糊付けされることで付箋紙を任意の場所に一時的に貼付でき、いつでもノートから剥がしてメモを書けるという長所がある。ノートには様々なサイズがあり、多様化して利便性を向上させている。
【考案の概要】
【考案が解決しようとする課題】
【０００３】
しかしながら、全付箋紙の重量は非常に軽く、薄い各ページのノートの間の部分は背のりで粘着されるが、剥がすのが困難になる場合がある。即ち、付箋紙を１枚づつ剥がすのが難しく、数枚の付箋紙が一緒に剥がれてしまうことがある、短時間で分離する場合、手が器用で慣れていないと、特に片手でノートを分離するのは不便であった。また、ノートが残り少ない場合、１枚づつ剥がすのが更に難しく、失敗してノートが無駄になることもある。これらの欠点を改善させるためには、ノートを剥がすための特別な道具を組み合わせ、次回剥がす際に剥がしやすくし、ノートを再度開かずとも自動的に次のノートを取り出せる準備をする必要がある。
【０００４】
そこで、本考案者は上記の欠点が改善可能と考え、鋭意検討を重ねた結果、合理的かつ効果的に課題を改善する本考案の提案に到った。
【０００５】
本考案は、このような従来の問題に鑑みてなされたものである。上記課題解決のため、本考案は、ポップアップノートカートンを提供することを主目的とする。すなわち、外形を包装するカートンを有し、机の上に置くのに適し、大量のポップアップノートが内装されて連続抽出可能で、メッセージを書くのに使用される。
【課題を解決するための手段】
【０００６】
上述した課題を解決し、目的を達成するために、本考案に係るポップアップノートカートンは、ボックス、弾性体、ポップアップノート、及びカートンを備える。前記ボックスは中空ケース体になり、ポップアップノートが内設され、且つ前記ボックスの上面には出口部が設けられ、前記出口部の周縁の対向する辺には一対の突起板が設置される。前記出口部が対向する面は前記ボックスの底面であり、前記ボックスの両側面には側辺開口がそれぞれ設けられ、前記弾性体は前記底面と前記ポップアップノートとの間に設置されると共に圧縮されて前記ポップアップノートに当接されて前記両突起板の間に制限される。前記ポップアップノートが前記出口部から抽出されて消耗された後に自動的に前記出口部まで上昇する。前記ボックスが前記出口部以外に他の各面が前記カートンにより被覆されることを特徴とする。
【０００７】
好ましくは、上述の前記弾性体は鋼ばねである。
【０００８】
好ましくは、上述の突起板は長片形で前記出口部の周辺に延伸され、その長さは少なくとも前記出口部の周辺の半分よりも長く、前記一対の突起板の間の距離は前記ポップアップノートの幅よりも短い。
【０００９】
好ましくは、上述の側辺開口の前記ボックスの底面の辺縁に隣接する箇所にはストッパーが設置される。
【００１０】
好ましくは、上述の前記ボックスは前記出口部以外に、他の各面が前記カートンにより被覆される。
【００１１】
好ましくは、上述の前記カートンの表面には文字や模様が描画される。
【考案の効果】
【００１２】
関連する製品が高付加価値化、多機能化する昨今の趨勢において、具体的な機能を提供することで産業の進歩に適合させ、業界により多くの技術的な選択肢を提供する。
【図面の簡単な説明】
【００１３】
【図１】本考案の第１実施形態によるポップアップノートカートンを示す展開図である。
【図２】本考案の一部の組合せを示す概略図である。
【図３】本考案の組合せを示す概略図である。
【図４】本考案の弾性体による圧縮を示す概略図である。
【考案を実施するための形態】
【００１４】
以下、本考案の具体的な実施形態について添付図面に基づき説明する。尚、以下に説明する実施の形態は、実用新案登録請求の範囲に記載された本考案の内容を限定するものではない。また、以下に説明される構成の全てが、本考案の必須要件であるとは限らない。
【００１５】
（第１実施形態）
以下、本考案の具体的な実施形態について添付図面に基づき説明する。図１から図６は本考案のポップアップノートカートンの概念図である。まず、本考案を図１乃至図３を参照しながら説明する。ボックス（１）、弾性体（２）、ポップアップノート（３）、及びカートン（４）を備える。前記ボックス（１）は中空のケース体であり、ポップアップノート（３）が内装され、前記ボックス（１）の上面には出口部（１０）が設けられ、前記出口部（１０）の周縁の対向する辺には一対の突起板（１００）が設置される。前記突起板（１００）は長片形であり前記出口部（１０）の周辺に延伸され、その長さは少なくとも前記出口部（１０）の周辺の半分よりは長く、前記一対の突起板（１００）の間の距離は前記ポップアップノート（３）の幅より短い。前記出口部（１０）が対向する面は前記ボックスの底面（１１）であり、前記ボックス（１）は両側面に側辺開口（１２）がそれぞれ設けられ、前記側辺開口（１２）の前記ボックス（１）の底面の辺縁に隣接する箇所にはストッパー（１２０）が設置され、前記ストッパー（１２０）により前記弾性体（２）が活動範囲を前記底面（１１）に制限される。前記弾性体（２）は前記底面（１１）と前記ポップアップノート（３）の間に設置され、前記ポップアップノート（３）が前記一対の突起板（１００）の間に制限される。前記弾性体（２）は鋼ばねであり、前記ボックス（１）は前記出口部（１０）以外に、他の各面が前記カートン（４）により被覆される。前記カートン（４）は開口を有するペーパーボックスであり、表面には文字や模様が描かれる。
【００１６】
図４は本考案の弾性体（２）による圧縮を示す概略図である。図の上下はそれぞれ弾性体（２）が前記ポップアップノート（３）に当接される図、及び一部消費された前記ポップアップノート（３）の弾性体（２）が圧縮状態にある図を示す。前記弾性体（２）は前記底面（１１）と前記ポップアップノート（３）との間に設置されて圧縮され、圧縮による弾力により前記ポップアップノート（３）に当接され、前記一対の突起板（１００）の間に制限される。前記ポップアップノート（３）は前記出口部（１０）から抽出され、前記ポップアップノート（３）に付着される背のりにより、次の前記ポップアップノート（３）を順に起こし、前記ポップアップノート（３）が前記突起板（１００）の上面に浮いた状態にし、次回の取り出しを便利にさせる。前記ポップアップノート（３）が抽出されて消耗されると、圧縮された前記弾性体（２）の弾力による当接作用により、前記ポップアップノート（３）が自動的に前記出口部（１０）まで上昇し、最後まで連続的に抽出できる。
【００１７】
前記ポップアップノート（３）が使い切られたら、ポップアップノート（３）の詰め替えを行う。先ず、前記カートン（４）を取り出し、前記ボックス（１）の両側の前記側辺開口（１２）から両手で前記弾性体（２）を底面（１１）に押圧させ、前記ボックス（１）内を空にした後、詰め替え用のポップアップノート（３）を前記ボックス（１）内に押し入れ、前記カートン（４）により被覆させて詰め替えを完成させる。
【００１８】
前記カートン（４）の表面にも変更可能な文字や模様が描画され、前記カートン（４）の表面の模様を変化させることで外観が変化し、単調なノートを包装させる効果を達成させる。
【００１９】
以上のとおり、本考案ではボックスを包装させるカートンを加え、外形を包装させるカートンを有することで、外観の模様を変化させ、机の上に置くのに適した外観にする。実用において、片手で取り出せる上に自動的に次のノートが出口部に浮き上がるため、ノートを開く動作が不要になり、簡単に素早く抽出でき、利便性を向上させる目的を達成させる。
【００２０】
上述の実施形態は本考案の技術思想及び特徴を説明するためのものにすぎず、当該技術分野を熟知する者に本考案の内容を理解させると共にこれをもって実施させることを目的とし、本考案の実用新案登録請求の範囲を限定するものではない。従って、本考案の精神を逸脱せずに行う各種の同様の効果をもつ改良又は変更は、後述の請求項に含まれるものとする。
【符号の説明】
【００２１】
（１）ボックス
（２）弾性体
（３）ポップアップノート
（４）カートン
（１０）出口部
（１００）突起板
（１２）側辺開口
（１２０）ストッパー
【図１】
0003197764.tif 000003
【図２】
0003197764.tif 000004
【図３】
0003197764.tif 000005
【図４】
0003197764.tif 000006